(57)【要約】【課題】内気流路を流れる空気と、外気流路を流れる空気との間の伝熱を抑制する。【解決手段】区画部材（60）は、内気流路（31）と、排気流路（36）及び給気流路（35）の一方の流路（35）とを仕切る第１仕切板（21）と、外気流路（32）と、排気流路（36）及び給気流路（35）の他方の流路（36）とを仕切る第２仕切板（22）とを有する。第１仕切板（21）には、内気流路（31）と一方の流路（35）とを連通させるとともに、ワイヤーハーネス（65）が貫通する第１貫通部（71）が形成され、第２仕切板（22）には、外気流路（32）と他方の流路（36）とを連通させるとともに、ワイヤーハーネス（65）が貫通する第２貫通部（72）が形成される。【選択図】図１６
2017129319.tif 000002
【特許請求の範囲】
【請求項１】
ケーシング（11）と、
上記ケーシング（11）の内部を、室内空気が導入される内気流路（31）と、室外空気が導入される外気流路（32）と、室内へ供給する空気が流れる給気流路（35）と、室外へ排出する空気が流れる排気流路（36）とに区画する区画部材（60）と、
水分を吸着する吸着剤が担持された第１吸着熱交換器（52）と第２吸着熱交換器（53）とが接続され、該第１吸着熱交換器（52）が凝縮器となり第２吸着熱交換器（53）が蒸発器となる第１冷凍サイクルと、第１吸着熱交換器（52）が蒸発器となり第２吸着熱交換器（53）が凝縮器となる第２冷凍サイクルとを切り換えて行うように構成される冷媒回路（50）と、
上記外気流路（32）の空気が上記第１吸着熱交換器（52）を通過し上記給気流路（35）へ送られ且つ上記内気流路（31）の空気が上記第２吸着熱交換器（53）を通過し上記排気流路（36）へ送られる第１空気流路と、上記外気流路（32）の空気が上記第２吸着熱交換器（53）を通過し上記給気流路（35）へ送られ且つ上記内気流路（31）の空気が上記第１吸着熱交換器（52）を通過し上記排気流路（36）へ送られる第２空気流路とを切り換えて形成する流路切換機構（D1〜D8）と、
構成機器（D1〜D8）に接続する複数のワイヤーハーネス（65）とを備え、
上記区画部材（60）は、
上記内気流路（31）と、上記排気流路（36）及び上記給気流路（35）の一方の流路（35）とを仕切る第１仕切板（21）と、
上記外気流路（32）と、上記排気流路（36）及び上記給気流路（35）の他方の流路（36）とを仕切る第２仕切板（22）とを有し、
上記第１仕切板（21）には、上記内気流路（31）と上記一方の流路（35）とを連通させるとともに、上記ワイヤーハーネス（65）が貫通する第１貫通部（71）が形成され、
上記第２仕切板（22）には、上記外気流路（32）と上記他方の流路（36）とを連通させるとともに、上記ワイヤーハーネス（65）が貫通する第２貫通部（72）が形成される
ことを特徴とする調湿装置。
【請求項２】
請求項１において、
上記第１仕切板（21）は、上記内気流路（31）と上記給気流路（35）とを仕切り、
上記第１貫通部（71）は、上記内気流路（31）と上記給気流路（35）とを連通させ、
上記第２仕切板（22）は、上記外気流路（32）と上記排気流路（36）とを仕切り、
上記第２貫通部（72）は、上記外気流路（32）と上記排気流路（36）とを連通させる
ことを特徴とする調湿装置。
【請求項３】
請求項１又は２において、
上記区画部材（60）は、上記排気流路（36）と上記給気流路（35）とを仕切る第３仕切板（27）とを有し、
上記第３仕切板（27）には、上記排気流路（36）と上記給気流路（35）とを連通させるとともに、上記ワイヤーハーネス（65）が貫通する第３貫通部（73）が形成される
ことを特徴とする調湿装置。
【請求項４】
請求項１乃至３のいずれか１つにおいて、
上記ケーシング（11）は、室内に設置され、
上記区画部材（60）は、電装品が収容される電装品室（30）と上記内気流路（31）とを仕切る第４仕切板（20）を有し、
上記第４仕切板（20）には、上記電装品室（30）と上記内気流路（31）とを連通させるとともに、上記ワイヤーハーネス（65）が貫通する第４貫通部（74）が形成される
ことを特徴とする調湿装置。
【発明の詳細な説明】
【技術分野】
【０００１】
本発明は、調湿装置に関する。
【背景技術】
【０００２】
従来より、空気の湿度を調節する調湿装置が知られている。
【０００３】
特許文献１に記載の調湿装置は、床面に設置されるケーシングを有している。ケーシング内の上部空間では、室内空気が導入される内気流路と、室外空気が導入される外気流路と、空気を室内へ供給する給気流路と、空気を室外へ排出する排気流路とが区画される。ケーシングの内部には、２つの吸着熱交換器が設けられる。
【０００４】
調湿装置では、外気流路に導入された室外空気（OA）が一方の吸着熱交換器で除湿又は加湿される。この空気は、給気通路を流れ、供給空気（SA）として室内へ供給される。同時に、内気流路に導入された室内空気（RA）が他方の吸着熱交換器を通過する。この空気は、排気流路を流れ、排出空気（EA）として室外へ排出される。
【０００５】
特許文献２の調湿装置には、構成機器（ダンパ）に接続するワイヤーハーネスが開示されている。このワイヤーハーネスは、空気流路を区画する仕切板(パネル部材)を貫通し、各構成機器に接続される。
【先行技術文献】
【特許文献】
【０００６】
【特許文献１】特開２０１３−６４５９０号公報
【特許文献２】特開２００９−１０９１１９号公報
【発明の概要】
【発明が解決しようとする課題】
【０００７】
上述のワイヤーハーネスを各空気流路に配置されたダンパ等の構成機器に接続しようとすると、特許文献２に開示のように、仕切板にワイヤーハーネスを貫通させる貫通部を形成する必要がある。ところが、この貫通部を通じて空気が漏れ込むと、空気流路で結露が生じてしまうという問題があった。
【０００８】
具体的には、例えば仕切板を挟んで外気流路と内気流路とが仕切られるとする。例えば夏季においては、外気流路を比較的高温・高湿の室外空気が流れ、内気流路を比較的低温の室内空気が流れる。このため、貫通部を通じた空気の漏れに起因して、室外空気と室内空気とが熱交換すると、室外空気が冷やされ、結露水が生じるおそれがある。また、例えば冬季においては、内気流路を比較的高温の室内空気が流れ、外気流路を比較的低温の室外空気が流れる。このため、貫通部を通じた空気の漏れに起因して、室外空気と室内空気とが熱交換すると、室内空気が冷やされ、結露水が生じるおそれがある。
【０００９】
本発明は、このような課題を考慮してなされたものであり、ワイヤーハーネスの貫通部の空気の漏れに起因する結露水の発生を抑制することである。
【課題を解決するための手段】
【００１０】
第１の発明は、調湿装置を対象とし、ケーシング（11）と、該ケーシング（11）の内部を、室内空気が導入される内気流路（31）と、室外空気が導入される外気流路（32）と、室内へ供給する空気が流れる給気流路（35）と、室外へ排出する空気が流れる排気流路（36）とに区画する区画部材（60）と、水分を吸着する吸着剤が担持された第１吸着熱交換器（52）と第２吸着熱交換器（53）とが接続され、該第１吸着熱交換器（52）が凝縮器となり第２吸着熱交換器（53）が蒸発器となる第１冷凍サイクルと、第１吸着熱交換器（52）が蒸発器となり第２吸着熱交換器（53）が凝縮器となる第２冷凍サイクルとを切り換えて行うように構成される冷媒回路（50）と、上記外気流路（32）の空気が上記第１吸着熱交換器（52）を通過し上記給気流路（35）へ送られ且つ上記内気流路（31）の空気が上記第２吸着熱交換器（53）を通過し上記排気流路（36）へ送られる第１空気流路と、上記外気流路（32）の空気が上記第２吸着熱交換器（53）を通過し上記給気流路（35）へ送られ且つ上記内気流路（31）の空気が上記第１吸着熱交換器（52）を通過し上記排気流路（36）へ送られる第２空気流路とを切り換えて形成する流路切換機構（D1〜D8）と、構成機器（D1〜D8）に接続する複数のワイヤーハーネス（65）とを備え、上記区画部材（60）は、上記内気流路（31）と、上記排気流路（36）及び上記給気流路（35）の一方の流路（35）とを仕切る第１仕切板（21）と、上記外気流路（32）と、上記排気流路（36）及び上記給気流路（35）の他方の流路（36）とを仕切る第２仕切板（22）とを有し、上記第１仕切板（21）には、上記内気流路（31）と上記一方の流路（35）とを連通させるとともに、上記ワイヤーハーネス（65）が貫通する第１貫通部（71）が形成され、上記第２仕切板（22）には、上記外気流路（32）と上記他方の流路（36）とを連通させるとともに、上記ワイヤーハーネス（65）が貫通する第２貫通部（72）が形成されることを特徴とする。
【００１１】
第１の発明では、第１仕切板（21）によって、内気流路（31）と、排気流路（36）及び給気流路（35）の一方とが仕切られる。第１仕切板（21）には、ワイヤーハーネス（65）が貫通する第１貫通部（71）が形成される。第２仕切板（22）によって、外気流路（32）と、排気流路（36）及び給気流路（35）の他方とが仕切られる。これにより、夏季や冬季において、各貫通部（71,72）での空気の漏れに起因する結露を抑制できる。この点について詳述する。
【００１２】
例えば夏季において、冷媒回路（50）で第２冷凍サイクルを行うと同時に流路切換機構（D1〜D8）が第１空気流路を形成する動作が行われるとする。この動作では、外気流路（32）を流れる空気が第１吸着熱交換器（52）で冷却・除湿された後、給気流路（35）を通じて室内へ供給される。同時に、内気流路（31）を流れる空気が第２吸着熱交換器（53）で加温・加湿された後、排気流路（36）を通じて室外へ排出される。また、冷媒回路（50）で第１冷凍サイクルを行うと同時に流路切換機構（D1〜D8）が第２空気流路を形成する動作が行われるとする。この動作では、外気流路（32）を流れる空気が第２吸着熱交換器（53）で冷却・除湿された後、給気流路（35）を通じて室内へ供給される。同時に、内気流路（31）を流れる空気が第１吸着熱交換器（52）で加温・加湿された後、排気流路（36）を通じて室外へ排出される。
【００１３】
このような夏季の動作では、外気流路（32）を流れる室外空気が比較的高温・高湿となり、内気流路（31）を流れる室内空気は比較的低温となる。給気流路（35）を流れる空気は、室外から導入されるものであるため、室内空気よりも温度が高くなる傾向にある。排気流路（36）を流れる空気は、室内空気が吸着熱交換器（52,53）で加熱されたものであるため、室内空気よりも温度が高くなる傾向にある。以上のように、このような夏季の動作では、外気流路（32）を流れる空気と内気流路（31）を流れる空気との温度差が最も大きくなり易い。
【００１４】
これに対し、第１仕切板（21）は、内気流路（31）と外気流路（32）とを仕切らず、排気流路（36）又は給気流路（35）と内気流路（31）とを仕切っている。内気流路（31）を流れる空気と、排気流路（36）又は給気流路（35）を流れる空気との温度差は、内気流路（31）を流れる空気と外気流路（32）を流れる空気の温度差よりも小さい。このため、仮に第１貫通部（71）で空気の漏れが生じたとしても、結露水の発生を抑制できる。
【００１５】
第２仕切板（22）は、外気流路（32）と内気流路（31）とを仕切らず、排気流路（36）又は給気流路（35）と外気流路（32）とを仕切っている。外気流路（32）を流れる空気と、排気流路（36）又は給気流路（35）を流れる空気との温度差は、内気流路（31）を流れる空気と外気流路（32）を流れる空気の温度差よりも小さい。このため、仮に第２貫通部（72）で空気の漏れが生じたとしても、結露水の発生を抑制できる。
【００１６】
例えば冬季において、冷媒回路（50）で第１冷凍サイクルを行うと同時に流路切換機構（D1〜D8）が第１空気流路を形成する動作が行われるとする。この動作では、外気流路（32）を流れる空気が第１吸着熱交換器（52）で加熱・加湿された後、給気流路（35）を通じて室内へ供給される。同時に、内気流路（31）を流れる空気が第２吸着熱交換器（53）で冷却・除湿された後、排気流路（36）を通じて室外へ排出される。また、冷媒回路（50）で第２冷凍サイクルを行うと同時に流路切換機構（D1〜D8）が第２空気流路を形成する動作が行われるとする。この動作では、外気流路（32）を流れる空気が第２吸着熱交換器（53）で加熱・加湿された後、給気流路（35）を通じて室内へ供給される。同時に、内気流路（31）を流れる空気が第１吸着熱交換器（52）で冷却・除湿された後、排気流路（36）を通じて室外に排出される。
【００１７】
このような冬季の動作では、外気流路（32）を流れる室外空気が比較的低温となり、内気流路（31）を流れる室内空気は比較的高温となる。給気流路（35）を流れる空気は、室外から導入されるものであるため、室内空気よりも温度が低くなる傾向にある。排気流路（36）を流れる空気は、室内空気が吸着熱交換器（52,53）で冷却されたものであるため、室内空気よりも温度が低くなる傾向にある。以上のように、このような冬季の動作では、外気流路（32）を流れる空気と内気流路（31）を流れる空気との温度差が最も大きくなり易い。
【００１８】
これに対し、第１仕切板（21）は、内気流路（31）と外気流路（32）とを仕切っていないため、仮に第１貫通部（71）で空気の漏れが生じたとしても、結露水の発生を抑制できる。第２仕切板（22）は、内気流路（31）と外気流路（32）とを仕切っていないため、仮に第２貫通部（72）での空気の漏れが生じたとしても、結露水の発生を抑制できる。
【００１９】
第２の発明は、第１の発明において、上記第１仕切板（21）は、上記内気流路（31）と上記給気流路（35）とを仕切り、上記第１貫通部（71）は、上記内気流路（31）と上記給気流路（35）とを連通させ、上記第２仕切板（22）は、上記外気流路（32）と上記排気流路（36）とを仕切り、上記第２貫通部（72）は、上記外気流路（32）と上記排気流路（36）とを連通させることを特徴とする。
【００２０】
第２の発明では、第１仕切板（21）は、内気流路（31）と給気流路（35）とを仕切っている。このため、第１仕切板（21）の第１貫通部（71）を通じて、内気流路（31）と給気流路（35）との間で空気の漏れが生じる可能性がある。ここで、内気流路（31）を流れる空気は、室内から導入されたものであり、給気流路（35）を流れる空気は、吸着熱交換器（52,53）を通過した後、室内へ供給されるものである。従って、両者の空気の温度差は比較的小さい。従って、仮に第１貫通部（71）で空気の漏れが生じたとしても、結露水の発生を抑制できる。
【００２１】
第２仕切板（22）は、外気流路（32）と排気流路（36）とを仕切っている。このため、第２仕切板（22）の第２貫通部（72）を通じて、外気流路（32）と排気流路（36）との間で空気の漏れが生じる可能性がある。ここで、外気流路（32）を流れる空気は、室外から導入された空気である。排気流路（36）を流れる空気は、夏季であれば吸着熱交換器（52,53）で加熱され、冬季であれば吸着熱交換器（52,53）で冷却される空気である。従って、両者の空気の温度差は比較的小さい。従って、仮に第２貫通部（72）で空気の漏れが生じたとしても、結露水の発生を抑制できる。
【００２２】
第３の発明は、第１又は第２の発明において、上記区画部材（60）は、上記排気流路（36）と上記給気流路（35）とを仕切る第３仕切板（27）とを有し、該第３仕切板（27）には、上記排気流路（36）と上記給気流路（35）とを連通させるとともに、上記ワイヤーハーネス（65）が貫通する第３貫通部（73）が形成されることを特徴とする。
【００２３】
第３の発明では、第３仕切板（27）は、排気流路（36）と給気流路（35）とを仕切っている。このため、第３仕切板（27）の第３貫通部（73）を通じて、排気流路（36）と給気流路（35）との間で空気の漏れが生じる可能性がある。ここで、排気流路（36）を流れる空気は、夏季であれば吸着熱交換器（52,53）で加熱された室内空気であり、冬季であれば吸着熱交換器（52,53）で冷却された室外空気である。給気流路（35）を流れる空気は、夏季であれば吸着熱交換器（52,53）で冷却された室外空気であり、冬季であれば吸着熱交換器（52,53）で加熱された室外空気である。従って、両者の空気の温度差は比較的小さい。従って、仮に第３貫通部（73）で空気の漏れが生じたとしても、結露水の発生を抑制できる。
【００２４】
第４の発明は、第１乃至第３のいずれか１つの発明において、上記ケーシング（11）は、室内に設置され、上記区画部材（60）は、電装品が収容される電装品室（30）と上記内気流路（31）とを仕切る第４仕切板（20）を有し、該第４仕切板（20）には、上記電装品室（30）と上記内気流路（31）とを連通させるとともに、上記ワイヤーハーネス（65）が貫通する第４貫通部（74）が形成されることを特徴とする。
【００２５】
第４の発明では、第４仕切板（20）は、内気流路（31）と電装品室（30）とを仕切っている。このため、第４仕切板（20）の第４貫通部（74）を通じて、内気流路（31）と電装品室（30）との間で空気の漏れが生じる可能性がある。ここで、ケーシング（11）は室内に設置されており、電装品室（30）は室内の雰囲気となっている。内気流路（31）には、室内空気が導入される。このため、両者の空気の温度差は実質的にない。従って、仮に第４貫通部（74）で空気の漏れが生じたとしても、結露水の発生を抑制できる。
【発明の効果】
【００２６】
第１の発明によれば、ワイヤーハーネス（65）が貫通する第１仕切板（21）及び第２仕切板（22）が、内気流路（31）と外気流路（32）とを仕切らない構成としている。このため、各仕切板（21,22）の両側を流れる空気の温度差を小さくできる。従って、第１貫通部（71）や第２貫通部（72）で空気の漏れが生じたとしても、結露水の発生を抑制できる。この結果、例えば結露水が電装品に付着したり、ケーシング（11）の外部へ漏れてしまったりする不具合を回避できる。
【００２７】
第２の発明によれば、第１仕切板（21）が内気流路（31）と給気流路（35）とを仕切り、第２仕切板（22）が排気流路（36）と外気流路（32）とを仕切っている。このため、第１仕切板（21）及び第２仕切板（22）のそれぞれの両側の空気の温度差を効果的に低減できる。第３の発明によれば、第３仕切板（27）が排気流路（36）と給気流路（35）とを仕切るため、第３仕切板（27）の両側の空気の温度差も効果的に低減できる。
【００２８】
第４の発明によれば、ケーシング（11）を室内に設置し、第４仕切板（20）が電装品室（30）と内気流路（31）とを仕切るため、第４仕切板（20）の両側の空気の温度差はほとんどない。従って、特に結露水が問題となる電装品室（30）での結露水の発生を効果的に防止できる。
【図面の簡単な説明】
【００２９】
【図１】図１は、実施形態に係る調湿装置の斜視図である。
【図２】図２は、図１のII-II断面図である。
【図３】図３は、図２のIII-III断面図である。
【図４】図４は、図２のIV-IV断面図である。
【図５】図５は、図３のV-V断面図である。
【図６】図６は、図３のVI-VI断面図である。
【図７】図７は、図３のVII-VII断面図である。
【図８】図８は、冷媒回路の概略構成図である。
【図９】図９は、第１動作及び第３動作における図７相当図である。
【図１０】図１０は、第１動作及び第３動作における図５の要部拡大図である。
【図１１】図１１は、第１動作及び第３動作における図６の要部拡大図である。
【図１２】図１２は、第２動作及び第４動作における図７相当図である。
【図１３】図１３は、第２動作及び第４動作における図５の要部拡大図である。
【図１４】図１４は、第２動作及び第４動作における図６の要部拡大図である。
【図１５】図１５は、図３において、ワイヤーハーネス及び貫通部を図示した拡大図である。
【図１６】図１６は、図７において、ワイヤーハーネス及び貫通部を図示したものである。
【発明を実施するための形態】
【００３０】
以下、本発明の実施形態を図面に基づいて詳細に説明する。なお、以下の実施形態は、本質的に好ましい例示であって、本発明、その適用物、あるいはその用途の範囲を制限することを意図するものではない。
【００３１】
《発明の実施形態》
実施形態に係る調湿装置（10）は、室内を除湿する除湿運転と室内を加湿する加湿運転とを行う。調湿装置（10）は、２つの吸着熱交換器（52,53）を用いて空気を調湿する吸着方式である。
【００３２】
調湿装置（10）は室内の換気を行う換気式に構成される。調湿装置（10）では、室外空気（OA）が吸着熱交換器（52,53）を通過した後、供給空気（SA）として室内へ供給される。同時に室内空気（RA）が吸着熱交換器（52,53）を通過した後、排出空気（EA）として室外へ排出される。
【００３３】
調湿装置（10）は、例えば住宅などの室内に設置される据置式、あるいは床置式に構成される。
【００３４】
〈ケーシング〉
図１に示すように、調湿装置（10）は、箱形のケーシング（11）を有している。ケーシング（11）は、縦長の直方体状に形成されている。ケーシング（11）では、前後の長さが左右の幅よりも大きい。ケーシング（11）は、室内の床面に設置される。ケーシング（11）は、その後面が家屋の側壁と接するように配置される。
【００３５】
ケーシング（11）は、天板（12）、底板（13）、前板（14）、後板（15）、第１側板（16）、及び第２側板（17）を有している。天板（12）はケーシング（11）の上端部を構成し、底板（13）はケーシング（11）の下端部を構成する。前板（14）はケーシング（11）の前端部を構成し、後板（15）はケーシング（11）の後端部を構成する。第１側板（16）はケーシング（11）の左端部を構成し、第２側板（17）はケーシング（11）の右端部を構成する。
【００３６】
天板（12）には、内気接続部（12a）、給気接続部（12b）、排気接続部（12c）、及び外気接続部（12d）が設けられる。内気接続部（12a）は、天板（12）の前側寄り且つ左側寄りに配置される。給気接続部（12b）は、天板（12）の前側寄り且つ右側寄りに配置される。排気接続部（12c）は、天板（12）の後側寄り且つ左側寄りに配置される。外気接続部（12d）は、天板（12）の後側寄り且つ右側寄りに配置される。
【００３７】
内気接続部（12a）には内気ダクト（5）が接続され、給気接続部（12b）には給気ダクト（6）が接続される。排気接続部（12c）には排気ダクト（7）が接続され、外気接続部（12d）には外気ダクト（8）が接続される。内気ダクト（5）の流入端、及び給気ダクト（6）の流出端は室内空間に連通している。排気ダクト（7）の流出端、及び外気ダクト（8）の流入端は室外空間に連通している。
【００３８】
ケーシング（11）では、天板（12）、底板（13）、後板（15）、第１側板（16）、及び第２側板（17）がケーシング本体（11a）を構成する。つまり、ケーシング本体（11a）は、前側が開放された箱状に形成される。前板（14）は、ケーシング本体（11a）の前側開放部に着脱可能に取り付けられる。前板（14）を取り外すことでケーシング本体（11a）の内部が作業者に対して露出される。この状態で、作業者は各種の構成部品（例えば電装品、圧縮機（51）、ダンパ（D1〜D8）、ファン（41,42）など）のメンテナンスを行うことができる。
【００３９】
図２に示すように、前板（14）は、内板（14a）と化粧パネル（14b）とで構成される。内板（14a）はケーシング（11）の内部に面し、化粧パネル（14b）はケーシング（11）の外部に面する。
【００４０】
〈ケーシングの内部構造〉
ケーシング（11）の内部構造について図２〜図１４を参照しながら説明する。
【００４１】
〔仕切板及び内部空間〕
図３〜図６に示すように、ケーシング（11）の底板（13）寄りには、下部仕切板（20）が設けられる。下部仕切板（20）は、前板（14）、後板（15）、第１側板（16）、及び第２側板（17）に亘る水平な板を構成する。
【００４２】
下部仕切板（20）の下側には機械室（30）が区画される。
【００４３】
下部仕切板（20）と天板（12）との間には、第１仕切板（21）と第２仕切板（22）とが設けられる。第１仕切板（21）は第１側板（16）寄りに配置され、第２仕切板（22）は第２側板（17）寄りに配置される。第１仕切板（21）及び第２仕切板（22）は、天板（12）、下部仕切板（20）、前板（14）、及び後板（15）に亘る鉛直な板を構成する。
【００４４】
第１側板（16）と第１仕切板（21）との間には、内気流路（31）が区画される。第２側板（17）と第２仕切板（22）の間には、外気流路（32）が区画される。内気流路（31）は内気ダクト（5）と連通し、外気流路（32）は外気ダクト（8）と連通する。内気流路（31）には室内空気（RA）が導入され、外気流路（32）には室外空気（OA）が導入される。
【００４５】
第１仕切板（21）と第２仕切板（22）との間には、下側水平仕切板（23）と上側水平仕切板（24）とが設けられる。下側水平仕切板（23）は、第１仕切板（21）及び第２仕切板（22）の下部に支持される。上側水平仕切板（24）は、第１仕切板（21）及び第２仕切板（22）の上下方向の中間部に支持される。下側水平仕切板（23）及び上側水平仕切板（24）は、前板（14）、後板（15）、第１仕切板（21）、及び第２仕切板（22）に亘る水平な板を構成する。
【００４６】
図７に示すように、第１仕切板（21）の下部と第２仕切板（22）の下部との間には、下側中央仕切板（25）が設けられる。下側中央仕切板（25）は、第１仕切板（21）及び第２仕切板（22）の前後方向の中間部に支持される。下側中央仕切板（25）は、第１仕切板（21）、第２仕切板（22）、下側水平仕切板（23）、及び上側水平仕切板（24）に亘る鉛直な板を構成する。
【００４７】
下側中央仕切板（25）の前側には第１熱交換器室（33）が区画され、下側中央仕切板（25）の後側には第２熱交換器室（34）が区画される。
【００４８】
図２に示すように、第１仕切板（21）の上部と第２仕切板（22）の上部との間には、上側中央仕切板（26）が設けられる。上側中央仕切板（26）は、第１仕切板（21）及び第２仕切板（22）の前後方向の中間部（厳密にはやや後方寄り）に支持される。上側中央仕切板（26）は、第１仕切板（21）、第２仕切板（22）、及び天板（12）に亘る鉛直な板を構成する。上側中央仕切板（26）の下端と上側水平仕切板（24）の上端とは離間している。
【００４９】
上側中央仕切板（26）の前側には主給気流路（35a）が区画され、上側中央仕切板（26）の後側には主排気流路（36a）が区画される。主給気流路（35a）は給気ダクト（6）と連通し、主排気流路（36a）は排気ダクト（7）と連通する。
【００５０】
前板（14）と上側中央仕切板（26）との間には、前側仕切板（27）が設けられる。図３に示すように、前側仕切板（27）は縦断面がＬの字に形成される。前側仕切板（27）の下端は上側水平仕切板（24）に接続され、前側仕切板（27）の右端は第２仕切板（22）に接続される。
【００５１】
前板（14）と上側水平仕切板（24）と第２仕切板（22）と前側仕切板（27）との間には、排気連通路（36b）が形成される。排気連通路（36b）は、上側中央仕切板（26）と上側水平仕切板（24）との間の空間を介して主排気流路（36a）と連通し、主給気流路（35a）とは遮断される。
【００５２】
後板（15）と上側中央仕切板（26）との間には、後側仕切板（28）が設けられる。図４に示すように、後側仕切板（28）は縦断面がＬの字に形成される。後側仕切板（28）の下端は上側水平仕切板（24）に接続され、後側仕切板（28）の左端は第１仕切板（21）に接続される。
【００５３】
後板（15）と上側水平仕切板（24）と第１仕切板（21）と後側仕切板（28）との間には、給気連通路（35b）が形成される。給気連通路（35b）は、上側中央仕切板（26）と上側水平仕切板（24）との間の空間を介して主給気流路（35a）と連通し、主排気流路（36a）と遮断される。
【００５４】
主給気流路（35a）及び給気連通路（35b）は、給気流路（35）を構成している。主排気流路（36a）及び排気連通路（36b）は、排気流路（36）を構成している。
【００５５】
〔電装品箱〕
図３、図５、図６に示すように、機械室（30）には、電装品箱（40）が設けられる。電装品箱（40）は、底板（13）のうち前板（14）寄りの部分に設置される。電装品箱（40）の内部には、各種の電装品が収容される。即ち、機械室（30）は、電装品が収容される電装品室を構成している。機械室（30）は、ケーシング（11）の僅かな隙間を通じて室内空間と連通している。これにより、機械室（30）は、室内と同じ雰囲気となっている。
【００５６】
〔圧縮機〕
図３〜図６に示すように、機械室（30）には、圧縮機（51）が設けられる。圧縮機（51）は、冷媒回路（50）に接続される（図８を参照）。圧縮機（51）は、底板（13）のうち後板（15）寄りの部分に設置される。圧縮機（51）は、電装品箱（40）の後側に配置される。
【００５７】
〔ダンパ〕
調湿装置（10）は、流路切換機構を構成する８つのダンパ（D1〜D8）を備えている。８つのダンパは、第１ダンパ（D1）、第２ダンパ（D2）、第３ダンパ（D3）、第４ダンパ（D4）、第５ダンパ（D5）、第６ダンパ（D6）、第７ダンパ（D7）、及び第８ダンパ（D8）で構成される。
【００５８】
図５に示すように、第１ダンパ（D1）及び第２ダンパ（D2）は、第１仕切板（21）に取り付けられる。第１ダンパ（D1）及び第２ダンパ（D2）の高さ位置は概ね等しい。第１ダンパ（D1）及び第２ダンパ（D2）は、第１仕切板（21）の下部寄りに配置される。第１ダンパ（D1）は、第１仕切板（21）の前側寄りに配置され、第２ダンパ（D2）は、第１仕切板（21）の後側寄りに配置される。
【００５９】
図６に示すように、第３ダンパ（D3）及び第４ダンパ（D4）は、第２仕切板（22）に取り付けられる。第３ダンパ（D3）及び第４ダンパ（D4）の高さ位置は概ね等しい。第３ダンパ（D3）及び第４ダンパ（D4）は、第２仕切板（22）の下部寄りに配置される。第３ダンパ（D3）は、第２仕切板（22）の前側寄りに配置され、第４ダンパ（D4）は、第２仕切板（22）の後側寄りに配置される。
【００６０】
図７に示すように、第５ダンパ（D5）、第６ダンパ（D6）、第７ダンパ（D7）、及び第８ダンパ（D8）は、上側水平仕切板（24）に取り付けられる。第５ダンパ（D5）は上側水平仕切板（24）の前側寄り且つ左側寄りに配置され、第６ダンパ（D6）は上側水平仕切板（24）の後側寄り且つ左側寄りに配置される。第７ダンパ（D7）は上側水平仕切板（24）の前側寄り且つ右側寄りに配置され、第８ダンパ（D8）は上側水平仕切板（24）の後側寄り且つ右側寄りに配置される。
【００６１】
図１０、図１１に例示するように、８つのダンパ（D1〜D8）の各々は、１つの開口（O）と、１つのモータ（M）と、２枚のシャッタ（S）とを有している。各ダンパ（D1〜D8）では、モータ（M）により２枚のシャッタ（S）が駆動される。これにより、各ダンパ（D1〜D8）では、シャッタ（S）が開口（O）を閉鎖する状態と開口（O）を開放する状態とに切り換わる。
【００６２】
第１ダンパ（D1）は内気流路（31）と第１熱交換器室（33）とを断続し、第２ダンパ（D2）は内気流路（31）と第２熱交換器室（34）とを断続する。第３ダンパ（D3）は外気流路（32）と第１熱交換器室（33）とを断続し、第４ダンパ（D4）は外気流路（32）と第２熱交換器室（34）とを断続する。
【００６３】
第５ダンパ（D5）は給気流路（35）と第１熱交換器室（33）とを断続し、第６ダンパ（D6）は給気流路（35）と第２熱交換器室（34）とを断続する。第７ダンパ（D7）は排気流路（36）と第１熱交換器室（33）とを断続し、第８ダンパ（D8）は排気流路（36）と第２熱交換器室（34）とを断続する。
【００６４】
流路切換機構である８つのダンパ（D1〜D8）は、ケーシング（11）の内部において、第１空気流路と第２空気流路とを切り換えて形成する。
【００６５】
図９〜図１１に示すように、第１空気流路を形成するときには、第２ダンパ（D2）、第３ダンパ（D3）、第５ダンパ（D5）、及び第８ダンパ（D8）が開状態となり、第１ダンパ（D1）、第４ダンパ（D4）、第６ダンパ（D6）、及び第７ダンパ（D7）が閉状態となる。つまり、この状態では、外気流路（32）、第１熱交換器室（33）、給気流路（35）が連続して連通し、且つ内気流路（31）、第２熱交換器室（34）、排気流路（36）が連続して連通する。第１空気流路では、外気流路（32）の空気が第１吸着熱交換器（52）を通過し給気流路（35）へ送られ且つ内気流路（31）の空気が第２吸着熱交換器（53）を通過し排気流路（36）へ送られる。
【００６６】
図１２〜図１４に示すように、第２空気流路を形成するときには、第１ダンパ（D1）、第４ダンパ（D4）、第６ダンパ（D6）、及び第７ダンパ（D7）が開状態となると同時に第２ダンパ（D2）、第３ダンパ（D3）、第５ダンパ（D5）、及び第８ダンパ（D8）が閉状態とる。つまり、この状態では、外気流路（32）、第２熱交換器室（34）、給気流路（35）が連続して連通し、且つ内気流路（31）、第１熱交換器室（33）、排気流路（36）が連続して連通する。第２空気流路では、外気流路（32）の空気が第２吸着熱交換器（53）を通過し給気流路（35）へ送られ且つ内気流路（31）の空気が第１吸着熱交換器（52）を通過し排気流路（36）へ送られる。
【００６７】
〔吸着熱交換器〕
図３、図４、図７に示すように、第１熱交換器室（33）には第１吸着熱交換器（52）が設けられ、第２熱交換器室（34）には第２吸着熱交換器（53）が設けられる。第１吸着熱交換器（52）及び第２吸着熱交換器（53）は、冷媒回路（50）に接続される（図８を参照）。
【００６８】
２つの吸着熱交換器（52,53）の各々は、伝熱管と、該伝熱管と接続する多数のフィンと、該多数のフィンの表面に担持される吸着剤とを有する。吸着剤は水分の吸着及び脱着が可能に構成される。吸着剤としては、ゼオライト、シリカゲル、活性炭、親水性の官能基を有する有機高分子材料等が用いられる。吸着剤としては、水分を吸着する機能だけでなく、水分を吸収する機能を有する材料（いわゆる収着剤）を用いてもよい。
【００６９】
〔給気ファン及び排気ファン〕
図２及び図３に示すように、給気流路（35）には給気ファン（41）が設けられる。給気ファン（41）は、前側仕切板（27）の上面に設置される。給気ファン（41）の吹出口は、給気ダクト（6）に連通している。
【００７０】
図２及び図４に示すように、排気流路（36）には排気ファン（42）が設けられる。排気ファン（42）は、後側仕切板（28）の上面に設置される。排気ファン（42）の吹出口は、排気ダクト（7）に連通している。
【００７１】
〔外気フィルタ〕
外気流路（32）には、外気接続部（12d）の下方に外気フィルタ（43）が設けられる。外気フィルタ（43）は、前板（14）から後板（15）にわたって（すなわち、外気流路（32）の全域を覆うように）設けられる。外気フィルタ（43）は、ＨＥＰＡフィルタ（High Efficiency Particulate Air Filter）等の比較的高性能のフィルタである。外気フィルタ（43）は、室外空気（OA）中の塵埃等を捕集する。
【００７２】
〔冷媒回路〕
図８に示すように、調湿装置（10）は、冷媒回路（50）を備えている。冷媒回路（50）では、充填された冷媒が循環し冷凍サイクルが行われる。冷媒回路（50）には、圧縮機（51）、第１吸着熱交換器（52）、第２吸着熱交換器（53）、膨張弁（54）、及び四方切換弁（55）が接続される。
【００７３】
圧縮機（51）の吐出部は四方切換弁（55）の第１ポートに繋がり、圧縮機（51）の吸入部は四方切換弁（55）の第２ポートに繋がる。第１吸着熱交換器（52）のガス側端部は四方切換弁（55）の第３ポートに繋がり、第２吸着熱交換器（53）のガス側端部は四方切換弁（55）の第４ポートに繋がる。膨張弁（54）は、第１吸着熱交換器（52）の液側端部と第２吸着熱交換器（53）の液側端部との間に接続される。
【００７４】
四方切換弁が第１状態（図８の実線で示す状態）になると、第１ポートと第３ポートとが連通し、且つ第２ポートと第４ポートとが連通する。四方切換弁（55）が第２状態（図８の破線で示す状態）になると、第１ポートと第４ポートとが連通し、且つ第２ポートと第３ポートとが連通する。
【００７５】
〔制御部〕
上述した電装品箱の内部には、制御部（図示省略）が設けられる。制御部は、圧縮機（51）の容量、膨張弁（54）の開度、ダンパ（D1〜D8）の開閉状態、給気ファン（41）のモータの回転数、排気ファン（42）のモータの回転数などを制御する。
【００７６】
制御部は、室内へ供給される供給空気（SA）の風量が一定となるように給気ファン（41）のモータの回転数を制御する。制御部は、室外へ排出される排出空気（RA）の風量が一定となるように排気ファン（42）のモータの回転数を制御する。制御部は、供給空気（SA）の風量と排出空気（EA）の風量とが等しくなるように、各ファン（41,42）のモータの回転数をそれぞれ制御する。
【００７７】
〈運転動作〉
調湿装置（10）の運転について図２〜図４、図８〜図１４を参照しながら説明する。調湿装置（10）は、除湿運転と加湿運転とを行う。
【００７８】
〔除湿運転〕
除湿運転では、圧縮機（51）、給気ファン（41）、及び排気ファン（42）が駆動される。除湿運転では、第１動作（図９〜図１１を参照）と第２動作（図１２〜図１４を参照）とが交互に繰り返し行われる。
【００７９】
[第１動作]
第１動作では、四方切換弁（55）が第２状態となる。第１動作中の冷媒回路（50）では、第１吸着熱交換器（52）が蒸発器となり第２吸着熱交換器（53）が凝縮器（放熱器）となる。第１動作では、８つのダンパ（D1〜D8）が第１空気流路を形成する。
【００８０】
第１動作において、外気ダクト（8）に導入された室外空気（OA）は、外気流路（32）に流入し下方へ流れる。外気流路（32）の空気は第１熱交換器室（33）に流入し、第１吸着熱交換器（52）を通過する。第１吸着熱交換器（52）では、空気中の水分が吸着剤に吸着される。この際に生じる吸着熱が冷媒の蒸発熱として利用される。第１吸着熱交換器（52）で除湿された空気は、給気流路（35）、給気ダクト（6）を順に通過し、供給空気（SA）として室内へ供給される。
【００８１】
第１動作において、内気ダクト（5）に導入された室内空気（RA）は、内気流路（31）に流入し下方へ流れる。内気流路（31）の空気は第２熱交換器室（34）に流入し、第２吸着熱交換器（53）を通過する。第２吸着熱交換器（53）では、冷媒の凝縮熱が吸着剤に付与され、吸着剤が再生される。吸着剤の水分が付与された空気は、排気流路（36）、排気ダクト（7）を順に通過し、排出空気（EA）として室外へ排出される。
【００８２】
[第２動作]
第２動作では、四方切換弁（55）が第１状態となる。第２動作中の冷媒回路（50）では、第１吸着熱交換器（52）が凝縮器（放熱器）となり第２吸着熱交換器（53）が蒸発器となる。第２動作では、８つのダンパ（D1〜D8）が第２空気流路を形成する。
【００８３】
第２動作において、外気ダクト（8）に導入された室外空気（OA）は、外気流路（32）に流入し下方へ流れる。外気流路（32）の空気は第２熱交換器室（34）に流入し、第２吸着熱交換器（53）を通過する。第２吸着熱交換器（53）では、空気中の水分が吸着剤に吸着される。この際に生じる吸着熱が冷媒の蒸発熱として利用される。第２吸着熱交換器（53）で除湿された空気は、給気流路（35）、給気ダクト（6）を順に通過し、供給空気（SA）として室内へ供給される。
【００８４】
第２動作において、内気ダクト（5）に導入された室内空気（RA）は、内気流路（31）に流入し下方へ流れる。内気流路（31）の空気は第１熱交換器室（33）に流入し、第１吸着熱交換器（52）を通過する。第１吸着熱交換器（52）では、冷媒の凝縮熱が吸着剤に付与され、吸着剤が再生される。吸着剤の水分が付与された空気は、排気流路（36）、排気ダクト（7）を順に通過し、排出空気（EA）として室外へ排出される。
【００８５】
〔加湿運転〕
加湿運転では、圧縮機（51）、給気ファン（41）、及び排気ファン（42）が駆動される。加湿運転では、第３動作（図９〜図１１を参照）と第４動作（図１２〜図１４を参照）とが交互に繰り返し行われる。
【００８６】
[第３動作]
第３動作では、四方切換弁（55）が第１状態となる。第３動作中の冷媒回路（50）では、第１吸着熱交換器（52）が凝縮器（放熱器）となり第２吸着熱交換器（53）が蒸発器となる。第３動作では、８つのダンパ（D1〜D8）が第１空気流路を形成する。
【００８７】
第３動作において、外気ダクト（8）に導入された室外空気（OA）は、外気流路（32）に流入し下方へ流れる。外気流路（32）の空気は第１熱交換器室（33）に流入し、第１吸着熱交換器（52）を通過する。第１吸着熱交換器（52）では、冷媒の凝縮熱が吸着剤に付与され、吸着剤が再生される。第１吸着熱交換器（52）で加湿された空気は、給気流路（35）、給気ダクト（6）を順に通過し、供給空気（SA）として室内へ供給される。
【００８８】
第３動作において、内気ダクト（5）に導入された室内空気（RA）は、内気流路（31）に流入し下方へ流れる。内気流路（31）の空気は第２熱交換器室（34）に流入し、第２吸着熱交換器（53）を通過する。第２吸着熱交換器（53）では、空気中の水分が吸着剤に吸着される。この際に生じる吸着熱が冷媒の蒸発熱として利用される。吸着剤に水分を付与した空気は、排気流路（36）、排気ダクト（7）を順に通過し、排出空気（EA）として室外へ排出される。
【００８９】
[第４動作]
第４動作では、四方切換弁（55）が第２状態となる。第４動作中の冷媒回路（50）では、第１吸着熱交換器（52）が蒸発器となり第２吸着熱交換器（53）が凝縮器（放熱器）となる。第４動作では、８つのダンパ（D1〜D8）が第２空気流路を形成する。
【００９０】
第４動作において、外気ダクト（8）に導入された室外空気（OA）は、外気流路（32）に流入し下方へ流れる。外気流路（32）の空気は第２熱交換器室（34）に流入し、第２吸着熱交換器（53）を通過する。第２吸着熱交換器（53）では、冷媒の凝縮熱が吸着剤に付与され、吸着剤が再生される。第２吸着熱交換器（53）で加湿された空気は、給気流路（35）、給気ダクト（6）を順に通過し、供給空気（SA）として室内へ供給される。
【００９１】
第４動作において、内気ダクト（5）に導入された室内空気（RA）は、内気流路（31）に流入し下方へ流れる。内気流路（31）の空気は第１熱交換器室（33）に流入し、第１吸着熱交換器（52）を通過する。第１吸着熱交換器（52）では、空気中の水分が吸着剤に吸着される。この際に生じる吸着熱が冷媒の蒸発熱として利用される。吸着剤に水分を付与した空気は、排気流路（36）、排気ダクト（7）を順に通過し、排出空気（EA）として室外へ排出される。
【００９２】
〈ワイヤーハーネスと、その周辺構造〉
〔区画部材の構成〕
図１５及び図１６に示すように、ケーシング（11）内の上部空間（61）には、区画部材（60）が設けられる。区画部材（60）は、上述した、第１仕切板（21）、第２仕切板（22）、前側仕切板（27）、後側仕切板（28）、下部仕切板（20）等を有する。区画部材（60）は、上部空間（61）を、内気流路（31）、外気流路（32）、給気流路（35）、及び排気流路（36）に区画する。
【００９３】
第１仕切板（21）は、内気流路（31）と給気流路（35）とを仕切っている。第１仕切板（21）には、内気流路（31）と給気流路（35）とを連通させる第１貫通部（71）が形成される。
【００９４】
第２仕切板（22）は、排気流路（36）と外気流路（32）とを仕切っている。第２仕切板（22）には、排気流路（36）と外気流路（32）とを連通させる第２貫通部（72）が形成される。
【００９５】
前側仕切板（27）は、第３仕切板を構成し、給気流路（35）と排気流路（36）とを仕切っている。前側仕切板（27）には、給気流路（35）と排気流路（36）とを連通させる第３貫通部（73）が形成される。
【００９６】
下部仕切板（20）は、第４仕切板を構成し、内気流路（31）と機械室（30）とを仕切っている。下部仕切板（20）には、内気流路（31）と機械室（30）とを連通させる第４貫通部（74）が形成される。
【００９７】
〔ワイヤーハーネス〕
図１５及び図１６に示すように、調湿装置（10）は、ワイヤーハーネス（65）を有している。本実施形態のワイヤーハーネス（65）は、電装品箱（40）内の電装品（例えば制御基板）と、複数のダンパ（D1〜D8）とを接続している。ワイヤーハーネス（65）は、１本の主配線部（66）と、該主配線部（66）から分岐する複数の分岐配線部（W1〜W8）とを有している。
【００９８】
主配線部（66）の始端は電装品箱（40）の電装品に接続している。主配線部（66）は、第４貫通部（74）を貫通するとともに、内気流路（31）において鉛直方向に延びている。例えば主配線部（66）は、ケーシング（11）の前板（14）寄りに配置されている。つまり、主配線部（66）は、前板（14）の背面に沿うように配置されている。主配線部（66）の上端（終端）は、給気流路（35）に隣接している。主配線部（66）の終端は、複数（８本）の分岐配線部（W1〜W8）の始端と連続している。
【００９９】
複数の分岐配線部は、第１から第８までの分岐配線部（W1〜W8）で構成される。分岐配線部（W1〜W8）の本数はこれに限られず、７本以下又は９本以上であってもよい。
【０１００】
第１分岐配線部（W1）及び第２分岐配線部（W2）は、第１仕切板（21）に沿うように、内気流路（31）を前後の水平方向に延びている。第１分岐配線部（W1）の終端は、第１ダンパ（D1）のモータ（M）に接続し、第２分岐配線部（W2）の終端は、第２ダンパ（D2）のモータ（M）に接続している。
【０１０１】
第３から第８までの分岐配線部（W3〜W8）は、第１仕切板（21）の第１貫通部（71）を貫通している。第３から第８までの分岐配線部（W3〜W8）は、内気流路（31）と給気流路（35）とに亘っている。第３から第８までの分岐配線部（W3〜W8）と第１貫通部（71）との隙間には、シール部材（図示省略）が設けられる。
【０１０２】
第５分岐配線部（W5）は、給気流路（35）を左右の水平方向に延びている。第５分岐配線部（W5）の終端は、第５ダンパ（D5）のモータ（M）に接続される。第６分岐配線部（W6）は、第１仕切板（21）に沿うように、給気流路（35）を前後の水平方向に延びている。第６分岐配線部（W6）の終端は、第６ダンパ（D6）のモータ（M）に接続される。
【０１０３】
第３、第４、第７、第８までの分岐配線部（W3,W4,W7,W8）は、前板（14）に沿うように、給気流路（35）を左右の水平方向に延びている。第３、第４、第７、第８までの分岐配線部（W3,W4,W7,W8）は、前側仕切板（27）の第３貫通部（73）を貫通している。第３、第４、第７、第８の分岐配線部（W3,W4,W7,W8）と第３貫通部（73）との隙間には、シール部材（図示省略）が設けられる。
【０１０４】
第７分岐配線部（W7）は、排気流路（36）を左右の水平方向に延びている。第７分岐配線部（W7）の終端は、第７ダンパ（D7）のモータ（M）に接続される。第８分岐配線部（W8）は、前側仕切板（27）及び後側仕切板（28）に沿うように、排気流路（36）を前後の水平方向に延びている。第８分岐配線部（W8）の終端は、第８ダンパ（D8）のモータ（M）に接続される。
【０１０５】
第３分岐配線部（W3）及び第４分岐配線部（W4）は、第２仕切板（22）の第２貫通部（72）を貫通している。第３分岐配線部（W3）及び第４分岐配線部（W4）は、排気流路（36）と外気流路（32）とに亘っている。第３分岐配線部（W3）及び第４分岐配線部（W4）と第２貫通部（72）との隙間には、シール部材（図示省略）が設けられる。
【０１０６】
第３分岐配線部（W3）及び第４分岐配線部（W4）は、第２仕切板（22）に沿うように、排気流路（32）を前後の水平方向に延びている。第３分岐配線部（W3）の終端は、第３ダンパ（D3）のモータ（M）に接続し、第４分岐配線部（W4）の終端は、第４ダンパ（D4）のモータ（M）に接続している。
【０１０７】
〔結露防止対策〕
上記の空気流路（31,32,35,36）及びワイヤーハーネス（65）の位置関係により、本実施形態では、各貫通部（71,72,73,74）での空気の漏れに起因する結露水の発生を抑制できる。この点について詳述する。
【０１０８】
［除湿運転］
除湿運転では、外気流路（32）を流れる空気が第１吸着熱交換器（52）又は第２吸着熱交換器（53）で冷却・除湿された後、給気流路（35）を通じて室内へ供給される。同時に、内気流路（31）を流れる空気が第１吸着熱交換器（52）又は第２吸着熱交換器（53）で加熱・加湿された後、排気流路（36）を通じて室外へ排出される。
【０１０９】
このような除湿運転では、外気流路（32）を流れる室外空気（OA）が比較的高温・高湿となり、内気流路（31）を流れる室内空気（RA）は比較的低温となる。このため、除湿運転では、外気流路（32）を流れる空気と内気流路（31）を流れる空気との温度差が最も大きくなり易い。従って、外気流路（32）と内気流路（31）との間で空気の漏れが生じると、高温・高湿の室外空気（OA）が低温の室内空気（RA）によって冷却され、結露水が発生してしまう可能性がある。
【０１１０】
これに対し、本実施形態の第１貫通部（71）は、内気流路（31）と給気流路（35）との間に形成される。内気流路（31）には、室内から導入された比較的低温の室内空気が流れ、給気流路（35）には、吸着熱交換器（52,53）で冷却された後の室外空気が流れる。従って、両者の空気の温度差は比較的小さい。万が一、両者の空気が第１貫通部（71）を通じて漏れてしまったとしても、結露水の発生を抑制できる。
【０１１１】
第２貫通部（72）は、排気流路（36）と外気流路（32）との間に形成される。外気流路（32）には、室外から導入された比較的高温の室外空気が流れ、排気流路（36）には、吸着熱交換器（52,53）で加熱された後の室内空気が流れる。従って、両者の空気の温度差は比較的小さい。万が一、両者の空気が第２貫通部（72）を通じて漏れてしまったとしても、結露水の発生を抑制できる。
【０１１２】
第３貫通部（73）は、給気流路（35）と排気流路（36）との間に形成される。給気流路（35）には、吸着熱交換器（52,53）で冷却された後の室外空気が流れ、排気流路（36）には、吸着熱交換器（52,53）で加熱された後の室内空気が流れる。従って、両者の空気の温度差は比較的小さい。万が一、両者の空気が第３貫通部（73）を通じて漏れてしまったとしても、結露水の発生を抑制できる。
【０１１３】
第４貫通部（74）は、内気流路（31）と機械室（30）との間に形成される。内気流路（31）には、室内から導入された比較的低温の室内空気が流れる。機械室（30）は、実質的に室内空気で満たされる。従って、両者の空気の温度差はほとんどない。万が一、両者の空気が第４貫通部（74）を通じて漏れてしまったとしても、結露水の発生を抑制できる。
【０１１４】
［加湿運転］
加湿運転では、外気流路（32）を流れる空気が第１吸着熱交換器（52）又は第２吸着熱交換器（53）で加熱・加湿された後、給気流路（35）を通じて室内へ供給される。同時に、内気流路（31）を流れる空気が第１吸着熱交換器（52）又は第２吸着熱交換器（53）で冷却・除湿された後、排気流路（36）を通じて室外へ排出される。
【０１１５】
このような加湿運転では、外気流路（32）を流れる室外空気（OA）が比較的低温となり、内気流路（31）を流れる室内空気（RA）は比較的高温・高湿となる。このため、加湿運転では、外気流路（32）を流れる空気と内気流路（31）を流れる空気との温度差が最も大きくなり易い。従って、外気流路（32）と内気流路（31）との間で空気の漏れが生じると、高温・高湿の室内空気（RA）が低温の室外空気（OA）によって冷却され、結露水が発生してしまう可能性がある。
【０１１６】
以上のように、加湿運転では、外気流路（32）を流れる空気と内気流路（31）を流れる空気との温度差が最も大きくなり易い。従って、外気流路（32）と内気流路（31）との間で空気の漏れが生じると、高温・高湿の室内空気（RA）が低温の室外空気（OA）によって冷却され、結露水が発生してしまう可能性がある。
【０１１７】
これに対し、本実施形態の第１貫通部（71）は、内気流路（31）と給気流路（35）との間に形成される。内気流路（31）には、室内から導入された比較的高温の室内空気が流れ、給気流路（35）には、吸着熱交換器（52,53）で加熱された後の室外空気が流れる。従って、両者の空気の温度差は比較的小さい。万が一、両者の空気が第１貫通部（71）を通じて漏れてしまったとしても、結露水の発生を抑制できる。
【０１１８】
第２貫通部（72）は、排気流路（36）と外気流路（32）との間に形成される。外気流路（32）には、室外から導入された比較的低温の室外空気が流れ、排気流路（36）には、吸着熱交換器（52,53）で冷却された後の室内空気が流れる。従って、両者の空気の温度差は比較的小さい。万が一、両者の空気が第２貫通部（72）を通じて漏れてしまったとしても、結露水の発生を抑制できる。
【０１１９】
第３貫通部（73）は、給気流路（35）と排気流路（36）との間に形成される。給気流路（35）には、吸着熱交換器（52,53）で加熱された後の室外空気が流れ、排気流路（36）には、吸着熱交換器（52,53）で冷却された後の室内空気が流れる。従って、両者の空気の温度差は比較的小さい。万が一、両者の空気が第３貫通部（73）を通じて漏れてしまったとしても、結露水の発生を抑制できる。
【０１２０】
第４貫通部（74）は、内気流路（31）と機械室（30）との間に形成される。内気流路（31）には、室内から導入された室内空気が流れる。機械室（30）は、実質的に室内空気で満たされる。従って、両者の空気の温度差はほとんどない。万が一、両者の空気が第４貫通部（74）を通じて漏れてしまったとしても、結露水の発生を抑制できる。
【０１２１】
−実施形態の効果−
実施形態によれば、以下の効果を奏する。
【０１２２】
上記実施形態によれば、ワイヤーハーネス（65）が貫通する、第１仕切板（21）、第２仕切板（22）、前側仕切板（27）、及び下部仕切板（20）のいずれもが、内気流路（31）と外気流路（32）とを仕切っていない。このため、これらの仕切板（21,22）の両側を流れる空気の温度差を小さくできる。従って、各貫通部（71,72）で空気の漏れが生じたとしても、結露水の発生を抑制できる。この結果、例えば結露水が電装品に付着したり、ケーシング（11）の外部へ漏れてしまったりする不具合を回避できる。
【０１２３】
第１仕切板（21）は内気流路（31）と給気流路（35）とを仕切り、第２仕切板（22）は排気流路（36）と外気流路（32）とを仕切り、前側仕切板（27）は排気流路（36）と給気流路（35）とを仕切っている。これにより、これらの仕切板（21,22,27）の両側の空気の温度差も効果的に低減できる。
【０１２４】
ケーシング（11）を室内に設置し、下部仕切板（20）が機械室（30）と内気流路（31）とを仕切るため、下部仕切板（20）の両側の空気の温度差はほとんどない。従って、特に結露水が問題となる機械室（30）での結露水の発生を効果的に防止できる。
【０１２５】
《その他の実施形態》
給気流路（35）と排気流路（36）の位置関係を逆転させてもよい。この場合、第１仕切板（21）は内気流路（31）と排気流路（36）とを仕切り、第２仕切板（22）は給気流路（35）と外気流路（32）とを仕切る構成となる。この構成においても、各仕切板（21,22）の両側の空気の温度差が小さくなるため、結露水の発生を抑制できる。
【０１２６】
第３仕切板を構成する後側仕切板（28）に第３貫通部（73）を形成してもよい。
【０１２７】
ワイヤーハーネス（65）は、ダンパ（D1〜D8）以外の構成部品（例えば温度センサや湿度センサ）に接続されてもよい。
【産業上の利用可能性】
【０１２８】
以上説明したように、本発明は調湿装置について有用である。
【符号の説明】
【０１２９】
１０    調湿装置
１１    ケーシング
２０    下部仕切板（第４仕切板）
２１    第１仕切板
２２    第２仕切板
２７    前側仕切板（第３仕切板）
３０    機械室（電装品室）
３１    内気流路
３２    外気流路
３５    給気流路
３６    排気流路
５０    冷媒回路
５２    第１吸着熱交換器
５３    第２吸着熱交換器
６０    区画部材
６５    ワイヤーハーネス
７１    第１貫通部
７２    第２貫通部
７３    第３貫通部
７４    第４貫通部
Ｄ１〜Ｄ８  第１から第８までのダンパ（構成機器、流路切換機構）
【図１】
2017129319.tif 000003
【図２】
2017129319.tif 000004
【図３】
2017129319.tif 000005
【図４】
2017129319.tif 000006
【図５】
2017129319.tif 000007
【図６】
2017129319.tif 000008
【図７】
2017129319.tif 000009
【図８】
2017129319.tif 000010
【図９】
2017129319.tif 000011
【図１０】
2017129319.tif 000012
【図１１】
2017129319.tif 000013
【図１２】
2017129319.tif 000014
【図１３】
2017129319.tif 000015
【図１４】
2017129319.tif 000016
【図１５】
2017129319.tif 000017
【図１６】
2017129319.tif 000018